(57)【要約】【課題】  メモリに記憶された指定の変倍率の画像と微調整した画像を同一画面に合成し、その合成画像から所望する変倍画像を決定するようにして、変倍作業を迅速に且つ経済的に行う画像形成装置を提供する。【解決手段】  メモリＭ０の画像８０ａをメモリＭ１にコピーして画像８１ａとする。その画像に枠線８１ｂの情報を付加する。変倍の印字８２ｃを付加して、それぞれの設定された倍率で変倍処理する。メモリＭ１に記憶された画像８１ａを１４１％に変倍処理してメモリＭ２に画像８２ａとして記憶する。そのとき枠８１ｂも同じ変倍率で変倍され、枠８２ｂとして記憶される。また同時に変倍印字８２ｃも同時に記憶される。メモリＭ３には−１％の画像８３ａ、枠８３ｂ、変倍印字「１４０％」８３ｃを記憶し、メモリＭ４には＋１％の画像８４ａ、枠８４ｂ、変倍印字「１４０％」８３ｃを記憶する。そしてそれぞれのメモリに記憶された画像を合成する前に、画像処理を行いメモリＭ５により画像を合成する。【選択図】            図６
2005197962.tif 000002
【特許請求の範囲】
【請求項１】
画像読取装置により読み取られた原画像を所定の変倍率により変倍して出力する画像形成装置であって、
前記原画像の変倍率を決定するために、前記原画像と変倍後の画像とを予め比較する試し変倍モードを備え、該試し変倍モードにより決定した変倍率に基づいて前記原画像を変倍して出力することを特徴とする画像形成装置。
【請求項２】
前記試し変倍モードは、前記原画像を記憶する原画像記憶手段と、指定した変倍率の画像を記憶する指定変倍率画像記憶手段と、該指定変倍率画像記憶手段に記憶された画像を所定の範囲により調整する変倍率調整画像記憶手段と、前記指定変倍率画像記憶手段及び変倍率調整画像記憶手段に記憶した画像を合成する画像合成手段とを備え、
該画像合成手段により合成された画像に基づいて前記原画像の変倍率を決定することを特徴とする請求項１に記載の画像形成装置。
【請求項３】
前記原画像記憶手段に記憶された原画像の画像範囲を指定する枠を表示する枠表示手段を更に備え、前記指定変倍率画像記憶手段及び変倍率調整画像記憶手段により前記原画像が変倍された場合、前記枠表示手段により表示された枠を同じ変倍率により変倍することを特徴とする請求項１又は２に記載の画像形成装置。
【請求項４】
前記原画像の変倍率を表示する変倍率表示手段を更に備え、前記指定変倍率画像記憶手段及び変倍率調整画像記憶手段により前記原画像が変倍された場合、前記各手段により変倍された変倍率を変倍画像と同時に表示することを特徴とする請求項１又は２に記載の画像形成装置。
【請求項５】
前記変倍率調整画像記憶手段は、前記指定変倍率画像記憶手段に記憶された画像を、更に所定の範囲で増減する変倍率により変倍された画像を記憶する記憶領域を備えていることを特徴とする請求項１乃至４の何れか一項に記載の画像形成装置。
【請求項６】
前記変倍率調整画像記憶手段の前記記憶領域には、前記指定変倍率画像記憶手段に記憶された画像と異なる画像濃度で処理した画像を記憶することを特徴とする請求項５に記載の画像形成装置。
【請求項７】
前記変倍率調整画像記憶手段の前記記憶領域には、前記指定変倍率画像記憶手段に記憶された画像色と異なる色で処理した画像を記憶することを特徴とする請求項５に記載の画像形成装置。
【請求項８】
前記枠表示手段と変倍率表示手段は、何れか一方若しくは両方を選択的に表示可能としたことを特徴とする請求項１乃至７の何れか一項に記載の画像形成装置。
【請求項９】
前記画像合成手段により合成された画像は、出力装置に表示若しくは印刷することを選択可能としたこと特徴とする請求項１乃至８の何れか一項に記載の画像形成装置。
【発明の詳細な説明】
【技術分野】
【０００１】
本発明は、画像形成装置に関し、さらに詳しくは、原画像の変倍率を決定するための変倍率調整技術に関するものである。
【背景技術】
【０００２】
複写装置を用いて、オリジナルの型紙をコピーし、そのコピー出力を型紙として使用する場合等では正確なコピーが要求される。特にＡ０等の大サイズでは図面等を扱う関係上、正確な倍率で出力されることが要求される。即ち、大サイズになるほど微小な倍率の差が拡大されるのでなおさら倍率の正確さが要求される。また用紙のサイズが多きいので用紙の取り扱いも面倒になる。
従来は、この様なコピーを得るために変倍率を設定してコピーを取り、その出力を見て、作業者が所望する画像と合わない場合は、再度変倍率を変更してコピーを取る操作を繰り返す必要があった。
例えば特開２００１−２０３８７７公報には、１以上の画像入力手段と、画像入力手段から入力された１以上の画像信号を記憶する１次記憶部、及びこの１次記憶部に入力された画像信号を保存する２次記憶部を含む記憶装置を有する記憶手段と、画像入力手段から入力された画像信号、もしくは記憶装置に保存された画像信号を外部装置へ出力可能な１以上の画像出力手段と、画像入力手段により入力された画像信号と、第２の画像信号との画像合成を行う手段と、前記記憶手段に保存された画像信号と、第２の画像信号との画像合成を行なう手段とを備え、画像出力手段および画像入力手段は、複数の解像度の画像信号の入出力が可能であって、画像入力時もしくは画像出力時の画像信号の解像度に応じた画像合成を行い、作像手段から出力するようにして、画像を一度メモリに取り込みメモリ内で変倍処理を行うメモリ変倍機能が開示されている。
【特許文献１】特開２００１−２０３８７７公報
【発明の開示】
【発明が解決しようとする課題】
【０００３】
しかしながら、特許文献１に開示されている従来技術は、原稿を複数回読み込ませる手間は解消されたが、用紙は湿度等で微妙に倍率が変化し、さらに使用者が原稿を変倍してかつその倍率を正確に合わせるとなると、何度も倍率を設定し直して出力し、それを見直して、所望する画像と異なる場合は再度同様の操作を繰り返すと言う倍率調整作業が必要になる。この作業は煩雑であり、用紙と時間の無駄であるという問題がある。
本発明は、かかる課題に鑑み、メモリに記憶された指定の変倍率の画像と微調整した画像を同一画面に合成し、その合成画像から所望する変倍画像を決定するようにして、変倍作業を迅速に且つ経済的に行う画像形成装置を提供することを目的とする。
【課題を解決するための手段】
【０００４】
本発明はかかる課題を解決するために、請求項１は、画像読取装置により読み取られた原画像を所定の変倍率により変倍して出力する画像形成装置であって、前記原画像の変倍率を決定するために、前記原画像と変倍後の画像とを予め比較する試し変倍モードを備え、該試し変倍モードにより決定した変倍率に基づいて前記原画像を変倍して出力することを特徴とする。
従来の変倍の方法は、所望する変倍率で印刷して、その画像が所望する画像であるかをその印刷画像から判断していたため、最終的に変倍率を決定するまでに多大の時間と転写紙を消耗していた。そこで本発明では、試し変倍モードを設け、所望する変倍率の画像とその画像の前後の変倍率（例えば、±１％等）の画像をメモリに記憶し、これら３種類の画像を一つの画像に合成して、この合成画像から最適な変倍率を微調整して決定するものである。
かかる発明によれば、原画像の変倍率を決定するために、原画像と変倍後の画像とを予め比較する試し変倍モードを備え、この試し変倍モードにより決定した変倍率に基づいて原画像を変倍して出力するので、変倍率の決定が迅速に且つ正確に行うことができる。
請求項２は、前記試し変倍モードは、前記原画像を記憶する原画像記憶手段と、指定した変倍率の画像を記憶する指定変倍率画像記憶手段と、該指定変倍率画像記憶手段に記憶された画像を所定の範囲により調整する変倍率調整画像記憶手段と、前記指定変倍率画像記憶手段及び変倍率調整画像記憶手段に記憶した画像を合成する画像合成手段とを備え、該画像合成手段により合成された画像に基づいて前記原画像の変倍率を決定することを特徴とする。
本発明の変倍を行うためには、最低限３個所のメモリ領域を必要とする。その一つがユーザが指定する変倍率により変倍した画像を記憶するメモリ領域（指定変倍率画像記憶手段）であり、他の２つは指定された変倍率により変倍された画像から前後の変倍率（例えば、±１％等）の画像を記憶するメモリ領域（変倍率調整画像記憶手段）である。そしてこれら３つのメモリ領域の画像を合成する画像合成手段を備え、その画像を見ながら最適な変倍率を決定する。
かかる発明によれば、指定変倍率画像記憶手段及び変倍率調整画像記憶手段に記憶した画像を合成する画像合成手段とを備え、この画像合成手段により合成された画像に基づいて原画像の変倍率を決定するので、変倍率を細かく調整することができると共に、各画像を比較しながら変倍率を決定できるので、希望する変倍率に合わせ込むことを迅速に行うことができる。
【０００５】
請求項３は、前記原画像記憶手段に記憶された原画像の画像範囲を指定する枠を表示する枠表示手段を更に備え、前記指定変倍率画像記憶手段及び変倍率調整画像記憶手段により前記原画像が変倍された場合、前記枠表示手段により表示された枠を同じ変倍率により変倍することを特徴とする。
原画像の有効領域を表示する枠を表示することができれば、更に操作性が向上する。そしてこの枠は原画像が変倍された場合、同じ変倍率で変倍される必要がある。これにより、枠の大きさから最適な変倍率を決定する目安を得ることができる。
かかる発明によれば、枠表示手段を更に備え、指定変倍率画像記憶手段及び変倍率調整画像記憶手段により原画像が変倍された場合、枠表示手段により表示された枠を同じ変倍率により変倍するので、合成画像から変倍率を比較する場合、比較が容易となり操作性を向上することができる。
請求項４は、前記原画像の変倍率を表示する変倍率表示手段を更に備え、前記指定変倍率画像記憶手段及び変倍率調整画像記憶手段により前記原画像が変倍された場合、前記各手段により変倍された変倍率を変倍画像と同時に表示することを特徴とする。
変倍率を最も端的に表す方法は、その変倍率を数字で表示することである。例えば、指定の変倍率が１４１％の場合は「１４１％」と表示し、その調整範囲が±１％の場合、「１４０％」と「１４２％」と各画像に表示する。これにより、合成画像には「１４１％」、「１４０％」、「１４２％」の表示がされた３種類の画像が画像合成されて表示される。
かかる発明によれば、変倍率表示手段を更に備え、指定変倍率画像記憶手段及び変倍率調整画像記憶手段により原画像が変倍された場合、各手段により変倍された変倍率を変倍画像と同時に表示するので、決定した変倍率が何パーセントであるかを即座に判断することができる。
【０００６】
請求項５は、前記変倍率調整画像記憶手段は、前記指定変倍率画像記憶手段に記憶された画像を、更に所定の範囲で増減する変倍率により変倍された画像を記憶する記憶領域を備えていることを特徴とする。
ユーザが指定した変倍率に対して微調整する場合、その指定変倍率に対して上下にパーセンテージを増減する場合、それぞれの変倍率で変倍した画像を記憶しておくメモリ領域が必要となる。
かかる発明によれば、変倍率調整画像記憶手段は、指定変倍率画像記憶手段に記憶された画像を、更に所定の範囲で増減する変倍率により変倍された画像を記憶する記憶領域を備えているので、画像合成する場合、記憶領域に記憶された各画像を単純に合成すればよいので、簡単な処理により画像合成することができる。
請求項６は、前記変倍率調整画像記憶手段の前記記憶領域には、前記指定変倍率画像記憶手段に記憶された画像と異なる画像濃度で処理した画像を記憶することを特徴とする。
複数の異なる変倍率により変倍された画像を１つの画像に合成する場合、各画像を識別し易いように画像が処理されているのが好ましい。その１つの手段として、例えば指定画像と調整画像の濃度を変えることも１つの方法である。
かかる発明によれば、変倍率調整画像記憶手段の記憶領域には、指定変倍率画像記憶手段に記憶された画像と異なる画像濃度で処理した画像を記憶するので、複数の異なる変倍率により変倍された画像を１つの画像に合成する場合、各画像を識別し易くなる。
【０００７】
請求項７は、前記変倍率調整画像記憶手段の前記記憶領域には、前記指定変倍率画像記憶手段に記憶された画像色と異なる色で処理した画像を記憶することを特徴とする。
複数の異なる変倍率により変倍された画像を１つの画像に合成する場合、各画像を識別し易いように画像が処理されているのが好ましい。その１つの手段として、例えば指定画像と調整画像の色を変えることも１つの方法である。
かかる発明によれば、変倍率調整画像記憶手段の記憶領域には、指定変倍率画像記憶手段に記憶された画像色と異なる色で処理した画像を記憶するので、複数の異なる変倍率により変倍された画像を１つの画像に合成する場合、各画像を更に識別し易くなる。
請求項８は、前記枠表示手段と変倍率表示手段は、何れか一方若しくは両方を選択的に表示可能としたことを特徴とする。
複数の画像を合成する場合、画像が交錯する場合があるので、できるだけデータ量が少ないほうが好ましい。そこで本発明では、枠と変倍率の何れか一方若しくは両方を選択できるようにするものである。
かかる発明によれば、枠表示手段と変倍率表示手段は、何れか一方若しくは両方を選択的に表示可能としたので、ユーザが最も見やすい状態を作り出すことができる。
請求項９は、前記画像合成手段により合成された画像は、出力装置に表示若しくは印刷することを選択可能としたこと特徴とする。
合成画面を出力する方法には、ＬＣＤ等の表示画面に表示させる方法と、プロッタにより印刷する方法がある。前者は印刷しないので無駄な紙を消費することはないが、実際の印刷状態を確認することはできない。それに対して後者は、紙を消費するが、実際の印刷状態を確認できるので、細かい変倍結果を確認する場合には向いている。
かかる発明によれば、画像合成手段により合成された画像は、出力装置に表示若しくは印刷することを選択可能としたので、目的に応じてユーザが選択することができる。
【発明の効果】
【０００８】
請求項１の発明によれば、原画像の変倍率を決定するために、原画像と変倍後の画像とを予め比較する試し変倍モードを備え、この試し変倍モードにより決定した変倍率に基づいて原画像を変倍して出力するので、変倍率の決定が迅速に且つ正確に行うことができる。
また請求項２では、指定変倍率画像記憶手段及び変倍率調整画像記憶手段に記憶した画像を合成する画像合成手段とを備え、この画像合成手段により合成された画像に基づいて原画像の変倍率を決定するので、変倍率を細かく調整することができると共に、各画像を比較しながら変倍率を決定できるので、希望する変倍率に合わせ込むことを迅速に行うことができる。
また請求項３では、枠表示手段を更に備え、指定変倍率画像記憶手段及び変倍率調整画像記憶手段により原画像が変倍された場合、枠表示手段により表示された枠を同じ変倍率により変倍するので、合成画像から変倍率を比較する場合、比較が容易となり操作性を向上することができる。
また請求項４では、変倍率表示手段を更に備え、指定変倍率画像記憶手段及び変倍率調整画像記憶手段により原画像が変倍された場合、各手段により変倍された変倍率を変倍画像と同時に表示するので、決定した変倍率が何パーセントであるかを即座に判断することができる。
また請求項５では、変倍率調整画像記憶手段は、指定変倍率画像記憶手段に記憶された画像を、更に所定の範囲で増減する変倍率により変倍された画像を記憶する記憶領域を備えているので、画像合成する場合、記憶領域に記憶された各画像を単純に合成すればよいので、簡単な処理により画像合成することができる。
また請求項６では、変倍率調整画像記憶手段の記憶領域には、指定変倍率画像記憶手段に記憶された画像と異なる画像濃度で処理した画像を記憶するので、複数の異なる変倍率により変倍された画像を１つの画像に合成する場合、各画像を識別し易くなる。
また請求項７では、変倍率調整画像記憶手段の記憶領域には、指定変倍率画像記憶手段に記憶された画像色と異なる色で処理した画像を記憶するので、複数の異なる変倍率により変倍された画像を１つの画像に合成する場合、各画像を更に識別し易くなる。
また請求項８では、枠表示手段と変倍率表示手段は、何れか一方若しくは両方を選択的に表示可能としたので、ユーザが最も見やすい状態を作り出すことができる。
また請求項９では、画像合成手段により合成された画像は、出力装置に表示若しくは印刷することを選択可能としたので、目的に応じてユーザが選択することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明による画像形成装置の一実施形態であるデジタル複写機の内部構成を示すブロック図である。このデジタル複写機５００は、大きく分けて、イメージスキャナ部１００と、ファックス／プリンタコントローラ２００と、レーザプリンタ部３００の３つのユニットを備えて構成されている。
イメージスキャナ部１００は、図示しないコンタクトガラス、露光ランプ、ミラー、レンズ、およびＣＣＤイメージセンサ等を備えたスキャナ部１０１と、スキャナ部１０１による読み取り走査を制御するスキャナコントローラ１０２と、スキャナ部１０１の露光動作を制御する露光系コントローラ１０３と、読み取った画像をレーザプリンタ部３００で処理可能な画像データに変換する（例えば、２値化や多値化など）画像処理部１０４とを備えて構成される。
またファックス／プリンタコントローラ２００は、イメージスキャナ部１００で読み取った原稿の画像を用紙に形成する複写動作と、ファクシミリ送信するファクシミリ動作との切替制御を操作パネルから操作入力される情報に従って制御する。また、図示しないホスト装置から印刷命令および印刷データを受信して、後述する本発明に係る処理も行う。
またレーザプリンタ部３００は、プリント制御部３０１と、作像部３０２及び転写搬送定着部３０３とからなっている。そのプリント制御部３０１は、レーザプリンタ部３００全体の画像形成動作を制御する。作像部３０２は、入力される書き込みデータをレーザ光のラスタ走査により光の点の集合を形成して画像形成動作を行うもので、レーザドライブ部３１０、ポリゴンスキャナドライブ部３１１、表面電位制御部３１２、帯電部３１３、現像部３１４、感光ドラム３１５、およびドラムクリーニング部３１６からなっている。
レーザドライブ部３１０は、半導体レーザから発せられるレーザ光をコリメートレンズにより平行光束にするとともに、アパーチャにより一定形状の光束（レーザビーム）に整形して、ポリゴンスキャナドライブ部３１１に入射させる。
ポリゴンスキャナドライブ部３１１は、ポリゴンモータによりポリゴンミラーを一定方向に一定速度で回転させながら、入射する光束を偏向する。そして、その偏向した光束がｆθレンズを透過することによって感光ドラム３１５の表面上を等速で走査するように変換され、感光ドラム３１５上に所定径のビームスポット状に結像される。
【００１０】
帯電部３１３は、帯電チャージャからなり、図で左回りに回転する感光ドラム３１５の表面を均一に負電位に帯電させる。その後、ポリゴンスキャナドライブ部３１１からのレーザ光Ｌに照射された部分の電位が上昇し（ゼロ電位に近づき）、感光ドラム３１５の表面に静電潜像が形成される。表面電位制御部３１２は、その感光ドラム３１５の表面電位の値を制御する。
現像部３１４は、現像ローラにバイアス電圧を付与し、負に帯電したトナーを感光ドラム３１５の表面に付着させて静電潜像を顕像化する。なお、カラー画像を形成する場合には、黒、イエロー、シアン、マゼンダの４色のトナーにより、トナー像の形成が計４回行われる。ドラムクリーニング部３１６は、感光ドラム３１５上に残ったトナーを掻き落とすクリーニングブレードと、その掻き落としたトナーを回収するタンクとからなっている。
転写搬送定着部３０３は、転写部３１７、給紙制御部３１８、転写ドラム３１９、分離部３２０、搬送部３２１、および定着部３２２からなっている。転写部３１７は、転写ドラム３１７とその内側に配置された図示していない転写チャージャとからなり、トナーによって顕像化されたトナー像を感光ドラム３１５の回転に同期して、転写ドラム３１９に巻き付けられて搬送される用紙に、転写チャージャを付勢させて転写する。
給紙制御部３１８は、給紙部３２３より用紙を給紙して、転写ドラム３１９に巻き付けて搬送するための制御をする。カラーの場合には、転写ドラム３１９を４回転させて、その表面に巻き付けられた同一の用紙に対して、黒、イエロー、シアン、マゼンタの４色のトナー像を順次重ねて転写する。
分離部３２０は、トナー像が転写された用紙を転写ドラム３１９から分離する。搬送部３２１は、その分離された用紙を定着部３２２まで搬送する。定着部３２２は、ヒートローラと加圧ローラとを対にして備え、搬送された用紙に転写されているトナー像を熱定着させて排出部３２４に排出する。
なお、定着部３２２における定着温度は、用紙の搬送速度、トナーの軟化温度、および定着ユニットの諸条件によって決定される。この実施形態では、定着温度の設定を、複写画像形成動作時には１８５℃、プリンタとしての印刷動作時には１７５℃、ファックス画像形成動作時には１６０℃、待機温度は１７５℃、省エネモード時には定着オフとしている。
【００１１】
図２は、図１に示したデジタル複写機５００の制御系の構成を示すブロック図である。同じ構成要素には同じ参照番号を付して説明する。このデジタル複写機の制御系は、システム制御部５を中心に構成され、このシステム制御部５によって、シーケンス制御およびオペレーション制御を含む全体を制御するようになっている。そして、この制御系は、画像読取制御部１、ファックス／プリンタコントローラ２００、プリント制御部３０１、操作入力制御部４、システム制御部５、画像蓄積部６、およびタイマ７からなっている。
画像読取制御部１は、図１に示したイメージスキャナ部１００のスキャナコントローラ１０２と画像処理部１０４とからなり、イメージスキャナ部１００における原稿の画像読み取り動作、およびその読み取った画像のデータ処理を制御する。
プリント制御部３０１は、図１にも示したようにレーザプリンタ部３００の画像形成動作を制御するものであり、デジタル複写機のシーケンス制御を司るシーケンス制御部３Ａと、レーザドライブ部３１０における半導体レーザの変調等を制御するＬＤ変調部３Ｂと、用紙の給送を制御する給紙制御部３Ｃとからなっている。
操作入力制御部４は、図３に示す様な操作パネルからの入力操作および操作パネル上の表示を制御するもので、操作パネルからのキー入力を制御するキー入力部６０と、操作パネルのＬＣＤ等による表示部に対する情報の表示を制御する表示制御部５９とからなっている。またＬＣＤ上にはタッチパネルが配置され、表示画面上の任意の表示を押下すると、ＣＰＵは押下された座標情報を得ることができる。
【００１２】
システム制御部５は、ＣＰＵと、そのＣＰＵが実行するプログラムや恒久的なデータを記憶したＲＯＭと、ＣＰＵが処理を実行するために必要とする情報や処理中の一時的なデータなどを記憶するＲＡＭとを備えたマイクロコンピュータから構成されている。
そして、このシステム制御部５は、そのＲＯＭに記憶されたプログラムに従って、画像読取制御部１に原稿の画像読み取りを制御させ、プリント制御部３０１に画像形成動作を制御させ、操作入力制御部４に操作パネルからの入力および表示部の表示を制御させ、記憶が必要な画像データを画像蓄積部６に記憶させる。
画像蓄積部６は、イメージスキャナ部１００で読取った画像に対応する画像データ等を記憶するメモリである。画像データはこのメモリに蓄積され、編集等がなされる。変倍処理はイメージスキャナ部１００により等倍で読取った画像をオリジナル画像データとして蓄積し、オリジナル画像データの全域もしくは一部分の領域に対して拡大時は補間、縮小時は間引き処理を施した画像を別領域に蓄積する。一旦縮小して解像度を落とした画像は、原画像に対して情報が欠落するため、メモリで変倍処理を施した画像データに対して再度変倍処理を施すと画像劣化が発生する。通常の変倍処理はオリジナル画像に対して施される。
また、メモリ変倍処理や画像処理及び画像合成・印字データ等の付加は専用のハードで実現可能であるが、それらのハードを搭載されていなくても、処理速度の低下はあるもののＣＰＵでソフト的に実現可能である。これらの詳細処理の説明については公知であるため省略する。
図３は操作部を示した図である。操作部には、液晶タッチパネル５９、テンキー６０ａ、クリア／ストップキー（Ｃ／Ｓ）６０ｂ、スタートキー６０ｃ、初期設定キー６０ｄ、モードクリアキー６０ｅがあり、液晶タッチパネル５９には、後述する変倍キー５９ｂやモード設定のためのキーや画像形成装置の状態を示すメッセージなどが表示される。
【００１３】
図４は図３で変倍キー５９ｂを押下し、「試し変倍」モードが選択されたときの、設定画面の一例を示す図である。試し変倍モード時に画像の内側に枠線を付加するかどうかを選択する「枠付き」キー７１と、変倍率を付加印字するかどうかを選択する「変倍印字」キー７２と、ユーザが設定した倍率に対してどの位の差の変倍率の画像を合成するかを選択する「±０．５％」キー７３、「±１％」キー７４、「±５％」キー７５からなり、図では「枠付き」、「変倍印字」、「±１％」が選択された場合を示している。この場合、変倍率が１４１％に設定されているとすると、原画像に対して枠線を付加し、１４０％、１４１％、１４２％の変倍画像を合成する設定となる。
図５は本発明の動作フローチャートである。まず、試し変倍モードが設定されているか否かをチェックし（Ｓ１）、試し変倍モードが設定されている場合は（Ｓ１でＹＥＳのルート）、原稿を読み込み（ＨＤＤ等に蓄積されている画像に対してはメモリＭ０への画像転送）（Ｓ２）、メモリＭ０の画像をメモリＭ１にコピーする（Ｓ３）。次にその画像に枠を設定するか否かを判断し（Ｓ４）、設定しなければ（Ｓ４でＮＯのルート）、ステップＳ６に進み、設定するのであれば（Ｓ４でＹＥＳのルート）、その画像に枠線等の情報を付加する（Ｓ５）。次に変倍印字するか否かをチェックし（Ｓ６）、変倍印字しなければ（Ｓ６でＮＯのルート）、ステップＳ８に進み、変倍印字するのであれば（Ｓ６でＹＥＳのルート）、変倍の印字を付加して（Ｓ７）、それぞれの設定された倍率で変倍処理する（Ｓ８）。ここで、それぞれのメモリに記憶された画像を合成する前に、例えば、画像処理は１４１％はモノクロ画像とし、それ以外の１４０％、１４２％は白黒機の場合は画像濃度を薄くする処理を行ったり、カラー機の場合、１４０％の画像をシアン、１４２％画像をマゼンタのデータをして取り扱う処理を行う（Ｓ９）。そしてそれぞれの倍率に対してメモリ変倍後画像を合成し（Ｓ１０）、全ての画像合成が終了したかをチェックし（Ｓ１１）、終了すると合成画像を出力する（Ｓ１２）。
【００１４】
図６は本発明の試し印刷出力画像の生成過程を説明する図である。まず、試し変倍モードが設定されているか否かをチェックし、試し変倍モードが設定されている場合は、原稿８０を読み込みＨＤＤ等に蓄積されている画像に対してはメモリＭ０への画像転送を行う。そしてメモリＭ０の画像８０ａをメモリＭ１にコピーして画像８１ａとする。次にその画像に枠を設定するか否かを判断し、設定するのであれば、その画像に枠線８１ｂの情報を付加する。次に変倍印字するか否かをチェックし、変倍印字するのであれば、変倍の印字８２ｃを付加して、それぞれの設定された倍率で変倍処理する。この例では、画像８０ａが枠８１ｂを付加して１４１％に変倍する場合について説明する。メモリＭ１に記憶された画像８１ａを１４１％に変倍処理してメモリＭ２に画像８２ａとして記憶する。そのとき枠８１ｂも同じ変倍率で変倍され、枠８２ｂとして記憶される。また同時に変倍印字８２ｃも同時に記憶される。
次に、メモリＭ２の画像を例えば±１％で調整する場合、メモリＭ３には−１％の画像８３ａ、枠８３ｂ、変倍印字「１４０％」８３ｃを記憶し、メモリＭ４には＋１％の画像８４ａ、枠８４ｂ、変倍印字「１４０％」８３ｃを記憶する。そしてそれぞれのメモリに記憶された画像を合成する前に、例えば、画像処理として１４１％がモノクロ画像の場合、メモリＭ３とＭ４の画像濃度を薄くする処理を行ったり、カラー機の場合、１４０％の画像をシアン、１４２％画像をマゼンタのデータをして取り扱う処理を行う。そしてそれぞれの倍率に対してメモリ変倍後、メモリＭ５により画像を合成する。メモリＭ５には画像８２、８３、８４の画像が合成されて表示されるので、この画像を見ながら変倍率を決定する。
【図面の簡単な説明】
【００１５】
【図１】本発明の画像形成装置の一実施形態であるデジタル複写機の内部構成を示すブロック図。
【図２】本発明の図１に示したデジタル複写機５００の制御系の構成を示すブロック図。
【図３】本発明のデジタル複写機５００の操作部を示した図。
【図４】本発明の図３で変倍キー５９ｂを押下し、「試し変倍」モードが選択されたときの、設定画面の一例を示す図。
【図５】本発明の動作フローチャート。
【図６】本発明の試し印刷出力画像の生成過程を説明する図。
【符号の説明】
【００１６】
１  画像読取制御部、４  操作入力制御部、５  システム制御部、６  画像蓄積部、７  タイマ、５９  表示制御部、６０  キー入力部、１００  イメージスキャナ部、１０２  スキャナコントローラ、１０４  画像処理部、２００  ファックス／プリンタコントローラ、３００  レーザプリンタ部、３０１  プリント制御部、３１０  レーザドライブ部、３Ａ  シーケンス制御部、３Ｂ  ＬＤ変調部、３Ｃ  給紙制御部
【図１】
2005197962.tif 000003
【図２】
2005197962.tif 000004
【図３】
2005197962.tif 000005
【図４】
2005197962.tif 000006
【図５】
2005197962.tif 000007
【図６】
2005197962.tif 000008